(57)【要約】【課題】照明装置において、導光板及び導光板を支持する支持部材の構造に工夫を凝らすことにより、光源と導光板のクライアンスを小さくして輝度の向上を図る。【解決手段】照明装置は、光源と、その出光側と対向する入光面を有する導光板と、導光板の縁辺に沿う側壁を具備した導光板を収容する第２の支持部材（枠体）とを備える。そして、導光板の入光面とは逆側の反入光面には突出部が設けられ、突出部に対応する枠体の側壁には、弾性変形による反発力により突出部を光源側に押圧する弾性変形部を備えている。この構成によれば、弾性変形部が弾性変形する際の反発力により突出部を光源側に押圧することで、導光板の入光面と光源の発光面のクリアランスを小さくできる。その結果、光源から導光板内への光の入射効率を向上させることができ、照明装置の輝度を向上させることができる。【選択図】図４
2010080295.tif 000002
【特許請求の範囲】
【請求項１】
光源と、
前記光源の出光側と対向する入光面を有する導光板と、
前記導光板の縁辺に沿う側壁を具備した前記導光板を収容する枠体と、を備え、
前記導光板の前記入光面とは逆側の反入光面には突出部が設けられ、
前記突出部に対応する前記枠体の側壁には、弾性変形による反発力により前記突出部を前記光源側に押圧する弾性変形部を備えていることを特徴とする照明装置。
【請求項２】
前記枠体は、前記突出部に対向する位置に設けられた貫通孔を有し、
前記弾性変形部は、前記貫通孔に対向する位置に設けられた前記枠体の前記側壁であることを特徴とする請求項１に記載の照明装置。
【請求項３】
前記突出部の中心は、前記弾性変形部及び前記貫通孔の中心と略一致していることを特徴とする請求項１又は２に記載の照明装置。
【請求項４】
前記突出部の厚さは、前記導光板の厚さに等しいことを特徴とする請求項１乃至３のいずれか一項に記載の照明装置。
【請求項５】
前記導光板は、矩形状の平面形状を有し、
前記光源は、前記入光面に対向する位置に複数配置され、
前記突出部は、前記反入光面側の２隅の近傍位置に各々設けられ、
前記弾性変形部は、前記突出部の各々に対応する位置に設けられていることを特徴とする請求項１乃至４のいずれか一項に記載の照明装置。
【請求項６】
前記枠体は樹脂素材により形成されていることを特徴とする請求項１乃至５のいずれか一項に記載の照明装置。
【請求項７】
一対の基板間に電気光学層を挟持してなる電気光学パネルと、前記電気光学パネルの一方の面側に配置された請求項１乃至６のいずれか一項に記載の照明装置と、を備えることを特徴とする電気光学装置。
【請求項８】
請求項７に記載の電気光学装置を表示部として備えることを特徴とする電子機器。
【発明の詳細な説明】
【技術分野】
【０００１】
本発明は、電気光学装置に用いて好適な照明装置に関する。
【背景技術】
【０００２】
現在、携帯電話機、携帯情報端末機、コンピュータディスプレイなどの電子機器において、映像を表示するために液晶装置などの電気光学装置が広く用いられている。
【０００３】
このような液晶装置では、液晶表示パネルを背面側から照明して透過表示を行うために、その液晶表示パネルの背面側にバックライト装置（照明装置）が設けられる。
【０００４】
かかる照明装置として、例えば、発光ダイオードに代表される光源と、光源からの光を液晶表示パネルに向けて導く導光板と、導光板の外周部を支持する枠状のフレームとを有するサイドライト方式の照明装置が知られている。
【０００５】
このような照明装置では、枠状のフレーム及び導光板は、一般的に、樹脂を成形加工することで作製される。このとき、枠状のフレーム及び導光板の成形加工の精度によっては、枠状のフレームの内周面と導光板の外周面との間にクリアランスが生じてしまう。かかるクリアランスにバラツキがあると、これに伴って、光源と導光板の入光面との間の距離にもバラツキが生じてしまう。
【０００６】
ここで、照明装置の輝度を高めるためには、光源と導光板の入光面との距離のバラツキを最小限に抑えることが望ましい。しかし、このようなクリアランスを０にすることは製造技術上困難であり、かかるクリアランスのバラツキにより、光源と導光板の入光面との間の距離にバラツキが生じてしまうと、導光板の入光面における、光源から導光板内への導光率も不均一となり、その結果、照明装置の輝度特性が不均一になってしまうといった課題がある。
【０００７】
この点に関し、特許文献１には、光源の発光面が導光板に安定して密着し、照明光の輝度分布にむらが生じることのない照明装置が記載されている。
【０００８】
特許文献１に記載の照明装置では、かかる目的を達成するため、ＬＥＤを発光面とは反対側の背面の平面部のみを、フレームに形成されたバネ部材により導光板の入射面側へ押圧することで、ＬＥＤの発光面を導光板の入射面に密着させるようにしている。
【０００９】
なお、特許文献２には、ＦＰＣに実装された発光素子を導光板の側方に位置付けることが可能な液晶表示装置用バックライト構造が記載されている。
【００１０】
【特許文献１】特開２００７−２５８０４３号公報
【特許文献２】特開２００３−９０９９３号公報
【発明の開示】
【発明が解決しようとする課題】
【００１１】
ところで、上記の特許文献１に記載の照明装置では、照明光の輝度分布にむらを防止するために、ＬＥＤの発光面を導光板の入射面に密着させているが、かかる構成を実現するためには、フレームに対して複雑な形状を有するバネ部材を設けなければならず、フレームの加工工数が増加してしまうといった課題がある。
【００１２】
本発明は、以上の点に鑑みてなされたものであり、導光板及び導光板を収容する枠体の構造に工夫を凝らすことにより、枠体の加工工数を増加させることなく、光源と導光板のクリアランス（隙間）を小さくして輝度の向上等を図ることが可能な照明装置、及びそれを用いた電気光学装置並びに電子機器を提供することを課題とする。
【課題を解決するための手段】
【００１３】
本発明の１つの観点では、照明装置は、光源と、前記光源の出光側と対向する入光面を有する導光板と、前記導光板の縁辺に沿う側壁を具備した前記導光板を収容する枠体と、を備え、前記導光板の前記入光面とは逆側の反入光面には突出部が設けられ、前記突出部に対応する前記枠体の側壁には、弾性変形による反発力により前記突出部を前記光源側に押圧する弾性変形部を備えている。
【００１４】
上記の照明装置は、光源と、光源の出光側と対向する入光面を有する導光板と、導光板の縁辺に沿う側壁を具備した当該導光板を収容する枠体と、を備えている。光源としては、例えば発光ダイオードが挙げられる。
【００１５】
そして、この照明装置では、導光板の入光面とは逆側の反入光面には突出部が設けられ、導光板の突出部に対応する枠体の側壁には、弾性変形による反発力により突出部を光源側に押圧する弾性変形部を備えている。
【００１６】
この構成によれば、枠体と導光板との間にクリアランス（隙間）のバラツキがあったとしても、弾性変形部の弾性変形による反発力により突出部を光源側に押圧することで、導光板の入光面と光源の出光側の面（発光面又は出光面）のクリアランスを縮めることができる。その結果、光源から導光板内への光の入射効率を向上させることができ、照明装置の輝度を向上させることができる。
【００１７】
また、この構成によれば、枠体の形状が複雑にならなくてすむので、その加工工数が増加することを防止できる。
【００１８】
好適な例では、弾性変形部を弾性変形させ易くするために、枠体は、プラスチックなどの樹脂素材により形成されていることが好ましい。
【００１９】
上記の照明装置の一つの態様では、前記枠体は、前記突出部に対向する位置に設けられた貫通孔を有し、前記弾性変形部は、前記貫通孔に対向する位置に設けられた前記枠体の前記側壁とされる。これにより、弾性変形部は、両端梁構造を有し、突出部を光源側へ押圧する。
【００２０】
上記の照明装置の他の態様では、前記突出部の中心は、前記弾性変形部及び前記貫通孔の中心と略一致している。
【００２１】
これにより、突出部は、最も撓み易い弾性変形部の中心により、十分な弾性反発力で光源側へ押圧される。
【００２２】
上記の照明装置の他の態様では、前記突出部の厚さは、前記導光板の厚さに等しい。これにより、枠体の開口の適切な位置に導光板を配置した場合に、突出部を的確に弾性変形部に当接させることができる。
【００２３】
上記の照明装置の他の態様では、前記導光板は、矩形状の平面形状を有し、前記光源は、前記入光面に対向する位置に複数配置され、前記突出部は、前記反入光面側の２隅の近傍位置に各々設けられ、前記弾性変形部は、前記突出部の各々に対応する位置に設けられている。
【００２４】
この態様によれば、光源の発光面と導光板の入光面との距離を一定に保持しつつ、それらの間のクリアランスを縮めることができる。その結果、照明装置の輝度特性の均一化と、その輝度の向上とを両立させることができる。
【００２５】
本発明の他の観点では、一対の基板間に電気光学層を挟持してなる電気光学パネルと、電気光学パネルの一方の面側に配置された上記の何れかの照明装置と、を備える電気光学装置を構成することができる。
【００２６】
本発明の更に他の観点では、上記の電気光学装置を表示部として備える電子機器を構成することができる。
【発明を実施するための最良の形態】
【００２７】
以下、図面を参照して本発明を実施するための最良の形態について説明する。
【００２８】
[液晶装置の構成]
まず、図１乃至図３を参照して、本発明の実施形態に係る電気光学装置の一例としての液晶装置１００の構成について説明する。
【００２９】
図１は、本実施形態に係る液晶装置１００をその表示側から見た概略平面図を示す。図２は、図１の切断線Ａ−Ａ’に沿った液晶装置１００の構成を示す要部断面図を示す。図３（ａ）は、第２の支持部材１７の構成を示す平面図である。図３（ｂ）は、第２の支持部材１７による導光板１２の支持構造を示す平面図である。なお、図３（ｂ）では、光源１３と、導光板１２及び第２の支持部材１７との位置関係についての理解を容易とするため、光源１３も図示することにしている。
【００３０】
液晶装置１００は、電気光学パネルの一例としての液晶表示パネル５０と、一対の偏光板５、６と、液晶表示パネル５０の表示側とは逆側に配置され、液晶表示パネル５０を照明する照明装置５１と、を備える。
【００３１】
液晶表示パネル５０は、第１の基板１と第２の基板２とを枠状のシール材３を介して貼り合わせ、シール材３で区画される領域内に、電気光学層の一例としての液晶層４を狭持して構成される。なお、本発明では、液晶表示パネル５０は、以下の構成に限定されず、周知の種々の構成を採り得る。
【００３２】
第１の基板１は、第２の基板２の一端２ｅから外側に張り出す張り出し領域１ｈを有する。張り出し領域１ｈの第２の基板２側の面には、例えばドライバＩＣ（Integrated Circuit）７及び配線基板たるＦＰＣ（Flexible Printed Circuit）８が実装され、さらに複数の接続端子２１などが実装又は形成されている。ドライバＩＣ７は、複数の入力端子７ａ及び複数の出力端子７ｂを有している。各接続端子２１は、ドライバＩＣ７の各入力端子７ａとＦＰＣ８とを電気的に接続している。
【００３３】
また、実装領域１ｈの第２の基板２側の面から、第１の基板１の液晶層４側の面にかけて複数の信号線２２が形成されている。各信号線２２は、ドライバＩＣ７の各出力端子７ｂに電気的に接続されている。なお、信号線２２には、表示内容に応じたデータが供給されるデータ線、走査信号が供給される走査線、及び基準電位（例えば０[Ｖ]など）が供給される共通配線などが含まれる。
【００３４】
その他、液晶表示パネル５０の液晶層４側の面上には、図示を省略するが、例えばブラックマトリックス、カラーフィルタ、電極その他の多くの構成要素がマトリクス状（格子状）又はストライプ状（線状）に形成されている。そして、液晶表示パネル５０におけるシール材３の内側には、画像を表示するための表示領域が形成される。また、第１の基板１の液晶層４側とは逆側の面には偏光板５が配置されていると共に、第２の基板２の液晶層４側とは逆側の面には偏光板６が配置されている。偏光板５の透過軸は、例えば偏光板６の透過軸に対して略９０[°]に設定されている。
【００３５】
照明装置５１は、第１の支持部材１０と、反射シート１１と、導光板１２と、光源１３と、光学シート群と、第２の支持部材１７と、遮光テープ１８と、を備える。ここで、光学シート群には、周知の光学シート、例えば、拡散シート１４、第１のプリズムシート１５及び第２のプリズムシート１６が含まれる。
【００３６】
第１の支持部材１０は、箱状の形状を有し、照明装置５１の各構成部材、一対の偏光板５、６及び液晶表示パネル５０等を支持する。
【００３７】
反射シート１１は、光を反射するシート状の部材であり、第１の支持部材１０の液晶表示パネル５０と対向する面に配置されている。
【００３８】
導光板１２は、透明性を有する素材にて形成され、例えば矩形状の平面形状を有する。本例では、導光板１２は、縁辺１２ｓＬ、１２ｓＵ、１２ｓＲ、１２ｓＤを備える。なお、以下では、導光板１２の縁辺１２ｓＤを「入光面１２ａ」、また、縁辺１２ｓＵを「反入光面１２ｂ」とも表記する。ここで、縁辺１２ｓＬと縁辺１２ｓＲ、及び、縁辺１２ｓＵと縁辺１２ｓＤは、それぞれ平行をなしていると共に、縁辺１２ｓＬ及び縁辺１２ｓＲは、それぞれ縁辺１２ｓＵ及び縁辺１２ｓＤと直交又は交差している。導光板１２は、反射シート１１の第１の支持部材１０側とは逆側に且つ反射シート１１と対向する位置に配置されている。導光板１２は、その一端面（以下、「入光面」と称する）１２ａと対面する位置に配置された光源１３から発光された光Ｌを拡散シート１４側に向けて導く役割を有する。ここで、光源１３としては、例えば発光ダイオードなどが挙げられる。
【００３９】
拡散シート１４は、導光板１２の反射シート１１側とは逆側に且つ導光板１２と対向する位置に配置され、導光板１２から出光された光Ｌを第１のプリズムシート１５に向けて拡散させる役割を有する。
【００４０】
第１のプリズムシート１５は、拡散シート１４の導光板１２側とは逆側の面に重ねて配置され、拡散シート１４から出光された光Ｌを第２のプリズムシート１６に向けて集光させる役割を果たす。
【００４１】
第２のプリズムシート１６は、第１のプリズムシート１５の拡散シート１４側とは逆側に重ねて配置され、第１のプリズムシート１５から出光された光Ｌを液晶表示パネル５０側に向けて集光させる役割を果たす。なお、第２のプリズムシート１６のプリズムの稜線の延在方向は、図示を省略するが、第１のプリズムシート１５のプリズムの稜線の延在方向と略直交する方向に延在するように構成することができる。
【００４２】
第２の支持部材１７は、枠状の形状を有する枠体であり、導光板１２の縁辺１２ｓＬ、１２ｓＵ、１２ｓＲ、１２ｓＤに沿う側壁１７ｓＬ、１７ｓＵ、１７ｓＲ、１７ｓＤをそれぞれ具備している。そして、第２の支持部材１７は、導光板１２を収容している。なお、第２の支持部材１７の特徴的な構成、及び第２の支持部材１７による導光板１２の特徴的な支持構造については後述する。
【００４３】
遮光テープ１８は、枠状の形状を有し、光学シート群より外側であって、且つ液晶表示パネル５０の外周部と平面的に重なる位置（本例では、第１の基板１の第２の基板２側とは逆側の実装領域１ｈの面）に配置されている。遮光テープ１８は、照明装置５１からの不要な漏れ光を遮光して、液晶表示パネル５０の表示品位に悪影響を与えるのを防止する役割を有する。
【００４４】
以上の構成を有する液晶装置１００では、光源１３から出射された光Ｌは、図２の矢印に示すように導光板１２内を伝播して、その伝播した光Ｌは導光板１２の拡散シート１４側の面から出光する。なお、導光板１２内を伝播した光Ｌのうち一部の光は反射シート１１側の面から出光して反射シート１１により反射され、その反射光は導光板１２内に戻される。そして、導光板１２から拡散シート１４に向けて出光した光Ｌは、光学シート群を通過して、さらに液晶表示パネル５０の表示領域に向けて進行する。この際、液晶表示パネル５０において液晶層４の液晶分子の配向が制御されて、所望の表示画像が観察者によって視認される。
【００４５】
（照明装置の輝度向上構造）
次に、図３乃至図５を参照して、本実施形態に係る照明装置５１の輝度向上構造について詳述する。
【００４６】
図４（ａ）は、図３（ｂ）の破線領域Ａ１を拡大した要部平面図を示し、特に、導光板１２が規定のサイズより若干小さかった場合における、第２の支持部材１７による導光板１２の支持構造を示す。図４（ｂ）は、図４（ａ）に対応する要部平面図を示し、特に、導光板１２が規定のサイズより若干大きかった場合における、第２の支持部材１７による導光板１２の支持構造を示す。図４（ｃ）は、図３（ｂ）の破線領域Ａ２を拡大した要部平面図を示し、光源１３付近における、第２の支持部材１７による導光板１２の支持構造を示す。図５は、図４（ａ）の切断線Ｂ−Ｂ’に沿った第２の支持部材１７による導光板１２の支持構造を示す要部断面図である。
【００４７】
本実施形態では、第２の支持部材１７及び導光板１２の構造に工夫を凝らすことにより、光源１３の発光面１３ａと導光板１２の入光面１２ａとのクリアランス（隙間、間隙又は距離）を小さくして、光源１３から導光板１２内への光の入射効率を向上させることで、照明装置５１の輝度の向上を図る。そこで、その目的を実現する具体的な構成について、以下では、第２の支持部材１７及び導光板１２の特徴的な構成、並びに第２の支持部材１７による導光板１２の特徴的な支持構造について順に説明する。
【００４８】
まず、第２の支持部材１７の特徴的な構造は以下の通りである。
【００４９】
第２の支持部材１７は、上記したように枠体であり、側壁１７ｓＬ、１７ｓＵ、１７ｓＲ、１７ｓＤと、開口１７ａと、凹部１７ｂと、貫通孔１７ｃと、弾性変形部１７ｄと、を有する。
【００５０】
開口１７ａは、導光板１２と略同一の平面形状を有し、側壁１７ｓＬ、１７ｓＵ、１７ｓＲ、１７ｓＤに取り囲まれる位置に形成されている。開口１７ａには、導光板１２が配置される。
【００５１】
凹部１７ｂは、第２の支持部材１７の側壁１７ｓＤの内周面に複数設けられ、当該内周面から外周面に向けて窪む形状を有する。各凹部１７ｂには、各光源１３が配置される。
【００５２】
貫通孔１７ｃは、第２の支持部材１７の側壁１７ｓＵを貫通することで形成されており、第２の支持部材１７の側壁１７ｓＤ側とは逆側である側壁１７ｓＵの２隅（１７ｓａ、１７ｓｂ）の近傍位置に夫々設けられている。各貫通孔１７ｃは、後述する弾性変形部１７ｄを所定の方向に弾性変形させる役割を果たす。
【００５３】
弾性変形部１７ｄは、第２の支持部材１７の各貫通孔１７ｃに対向する位置に設けられた第２の支持部材１７の側壁１７ｓＵの内周面側の部分（破線にて囲まれる部分）である。各弾性変形部１７ｄは、貫通孔１７ｃ側に弾性変形可能に構成された両端梁構造を有する。ここで、両端梁構造とは、弾性変形部１７ｄの両端が第２の支持部材１７に固定されている構造をいう。
【００５４】
次に、導光板１２の特徴的な構造は以下の通りである。
【００５５】
導光板１２は、上記したように矩形状の平面形状を有し、その入光面１２ａ側とは逆側に位置する反入光面１２ｂから外側に向けて突出する突出部（突起）１２ｃを有する。本例では、突出部１２ｃは複数設けられ、各突出部１２ｃは、導光板１２の反入光面１２ｂ側の２隅の近傍位置に夫々設けられている。導光板１２の厚さｔ１方向に対応する各突出部１２ｃの厚さ（長さ）は、例えば、図５に示すように、当該導光板１２の厚さｔ１と略同一の厚さとされる。
【００５６】
次に、第２の支持部材１７による導光板１２の特徴的な支持構造は以下の通りである。
【００５７】
導光板１２は、その縁辺１２ｓＬ、１２ｓＵ、１２ｓＲ、１２ｓＤが夫々第２の支持部材１７の側壁１７ｓＬ、１７ｓＵ、１７ｓＲ、１７ｓＤに沿った状態で且つ第２の支持部材１７の開口１７ａ内に配置された状態で、当該第２の支持部材１７に収容される。そして、導光板１２の各突出部１２ｃは、第２の支持部材１７の各弾性変形部１７ｄ及び各貫通孔１７ｃに対向する位置に配置されている。本例では、導光板１２の各突出部１２ｃは、図４（ａ）に示すように、その各突出部１２ｃの中心を通る中心線ＣＬ１が、第２の支持部材１７の各弾性変形部１７ｄ及び各貫通孔１７ｃの各中心を通る中心線ＣＬ２と略一致した状態で、各弾性変形部１７ｄの内周面に当接するように配置されている。
【００５８】
各光源１３は、例えば、その出光側の面（以下、「出光面」又は「発光面」）１３ａが導光板１２の入光面１２ａと対向するように、第２の支持部材１７の凹部１７ｂ内に配置される。このとき、光源１３の発光面１３ａと、それと対向する導光板１２の入光面１２ａとのクリアランスｄ１が少ないほど導光板１２への光の入射効率を向上させることができる。
【００５９】
以上の構成を有する第２の支持部材１７による導光板１２の支持構造によれば、以下に述べる比較例と比較して有利な作用効果を有する。以下、この点について説明する。
【００６０】
まず、図６を参照して、比較例に係る第２の支持部材による導光板の支持構造、及びその課題について説明する。
【００６１】
図６（ａ）は、図４（ａ）に対応する、比較例に係る第２の支持部材１７ｘによる導光板１２ｘの支持構造を示す。図６（ｂ）は、図４（ｃ）に対応する、比較例に係る第２の支持部材１７ｘによる導光板１２ｘの支持構造を示す。
【００６２】
比較例では、上記の実施形態と比較して、第２の支持部材に対して貫通孔１７ｃ及び弾性変形部１７ｄを設けていない点、及び、導光板に突出部１２ｃを設けていない点のみが異なっている。このような構成を有する比較例では、次のような課題が生じる。
【００６３】
即ち、第２の支持部材１７ｘ及び導光板１２ｘの製造時には、その技術上、その両者のサイズに誤差が生じる。これに伴って、光源１３の発光面１３ａと導光板１２ｘの入光面１２ａとのクリアランスｄ２が大きくなり、光源１３から導光板１２ｘ内への光の入射効率が低下してしまう。
【００６４】
この点、本実施形態に係る照明装置５１では、導光板１２の入光面１２ａとは逆側の反入光面１２ｂには突出部１２ｃが設けられており、導光板１２の突出部１２ｃに対応する第２の支持部材１７の側壁１７ｓＵには、貫通孔１７ｃ側に弾性変形する際の反発力（弾性反発力又は弾性付勢力）により、突出部１２ｃを光源１３側に押圧する弾性変形部１７ｄを備えている。
【００６５】
この構成によれば、各弾性変形部１７ｄの弾性変形による反発力により各突出部１２ｃを光源１３側に押圧することで、導光板１２の入光面１２ａと光源１３の発光面１３ａとのクリアランスｄ１を縮めることができる。好適な例では、導光板１２の入光面１２ａと光源１３の発光面１３ａとのクリアランスｄ１を０とすることができる。その結果、光源１３から導光板１２内への光の入射効率を向上させることができ、照明装置５１の輝度を向上させることができる。
【００６６】
例えば、第２の支持部材１７の開口１７ａの大きさに対して、導光板１２の大きさが若干小さかった場合には、図４（ａ）に示すように、各突出部１２ｃが各弾性変形部１７ｄを変形させることなく当該各弾性変形部１７ｄに当接した状態で、導光板１２が開口１７ａ内に配置される。このため、各突出部１２ｃにより、光源１３の発光面１３ａと導光板１２の入光面１２ａとのクリアランスをできる限り小さくすることができる。
【００６７】
一方、第２の支持部材１７の開口１７ａの大きさと導光板１２の大きさがほぼ等しい場合には、図４（ｂ）に示すように、各突出部１２ｃが各弾性変形部１７ｄを各貫通孔１７ｃ側に押圧した状態、即ち各弾性変形部１７ｄが各突出部１２ｃにより各貫通孔１７ｃ側に弾性変形させられた状態で、導光板１２が開口１７ａ内に配置される。これにより、図４（ｂ）及び（ｃ）の矢印Ｙ１に示すように、各突出部１２ｃは各弾性変形部１７ｄからの反発力を受けるため、導光板１２の入光面１２ａと光源１３の発光面１３ａとのクリアランスｄ１が小さくなる。その結果、光源１３から導光板１２内への光の入射効率を向上させることができ、照明装置５１の輝度を高めることができる。
【００６８】
また、この構成によれば、第２の支持部材１７の形状が複雑にならなくてすむので、その分、その加工工数が増加することを防止できる。
【００６９】
好適な例では、各弾性変形部１７ｄを弾性変形させ易くするために、第２の支持部材１７は、プラスチックなどの樹脂素材により形成されていることが好ましい。
【００７０】
また、この照明装置５１では、各突出部１２ｃの中心を通る中心線ＣＬ１は、第２の支持部材１７の各弾性変形部１７ｄ及び各貫通孔１７ｃの各中心を通る中心線ＣＬ２と略一致している。これにより、各突出部１２ｃは、最も撓み易い各弾性変形部１７ｄの中心を各貫通孔１７ｃ側に押圧することになる。そのため、各突出部１２ｃは、各弾性変形部１７ｄの最大の弾性反発力により導光板１２に押し付けられる。よって、十分な弾性反発力により光源１３の発光面１３ａと導光板１２の入光面１２ａとのクリアランスｄ１を縮めることができる。
【００７１】
また、この照明装置５１では、導光板１２の厚さｔ１方向に対応する各突出部１２ｃの厚さ（長さ）は、例えば、導光板１２の厚さｔ１に略等しい。これにより、第２の支持部材１２の開口１７ａの適切な位置に導光板１２を配置した場合に、各突出部１２ｃを、対応する各弾性変形部１７ｄに的確に当接させることができる。
【００７２】
また、この照明装置５１では、導光板１２は矩形状の平面形状を有し、光源１３は、導光板１２の入光面１２ａに対向する位置に適宜の間隔をおいて複数配置され、各突出部１２ｃは、導光板１２の反入光面１２ｂ側の２隅の近傍位置に各々設けられ、各弾性変形部１７ｄは、各突出部１２ｃに対応する位置に設けられている。
【００７３】
これにより、各突出部１２ｃは、導光板１２の入光面１２ａと第２の支持部材１７の側壁１７ｓＤの内周面とを略平行な状態に保った上で、各弾性変形部１７ｄからの反発力を受ける。そのため、光源１３の発光面１３ａと導光板１２の入光面１２ａとのクリアランスｄ１を一定に保持しつつ、当該クリアランスを縮めることができる。
【００７４】
[変形例]
本発明に係る照明装置は、上記の実施形態に係る照明装置５１の構成に限定されるものではなく、その趣旨を逸脱しない範囲において種々の変形をすることが可能である。
【００７５】
例えば、上記の実施形態では、各弾性変形部１７ｄは両端梁構造を有していたが、これに限らず、本発明では、各弾性変形部１７ｄは片端梁構造を有していても構わない。ここで、片端梁構造とは、弾性変形部１７ｄの両端のうち、何れか一方の片端が第２の支持部材１７の側壁１７ｓＵに固定され、他方の片端が第２の支持部材１７の側壁１７ｓＵに対して開放されている構造をいう。
【００７６】
また、本発明では、各突出部１２ｃは、導光板１２の反入光面１２ｂ側の２隅の近傍位置に各々設けられ、各弾性変形部１７ｄ及び各貫通孔１７ｃは、各突出部１２ｃに対応する位置に設けられていたが、本発明では、各突出部１２ｃは、導光板１２の反入光面１２ｂ側のどの位置に設けられていてもよく、各弾性変形部１７ｄ及び各貫通孔１７ｃは、各突出部１２ｃに対応する位置であれば、第２の支持部材１７のどの位置に設けられていてもよい。
【００７７】
例えば、図７（ａ）は、導光板１２ｐの反入光面１２ｂの略中央部に対して突出部１２ｃを１つ設け、また、第２の支持部材１７ｐにおいて、突出部１２ｃに対応する側壁１７ｃＵに対して弾性変形部１７ｄ及び貫通孔１７ｃを１つ設けた構成例を示す。図７（ａ）は、図３（ｂ）に対応する、変形例に係る第２の支持部材１７ｐによる導光板１２ｐの支持構造を示す平面図である。また、図７（ｂ）は、導光板１２ｑの反入光面１２ｂの略中央部及び当該反入光面１２ｂ側の２隅の近傍位置に各々設けられ、また、第２の支持部材１７ｑにおいて、各突出部１２ｃに対応する側壁１７ｃＵに対して弾性変形部１７ｄ及び貫通孔１７ｃを各々設けた構成例を示す。図７（ｂ）は、図３（ｂ）に対応する、変形例に係る第２の支持部材１７ｑによる導光板１２ｑの支持構造を示す平面図である。
【００７８】
このように、本発明では、導光板１２に設ける突出部１２ｃの数や、第２の支持部材１７に設ける弾性変形部１７ｄ及び貫通孔１７ｃの数について制限はない。但し、第２の支持部材１７の強度向上を図るためには、第２の支持部材１７に設ける弾性変形部１７ｄ及び貫通孔１７ｃの数はできる限り少ないことが望ましい。
【００７９】
また、本発明では、導光板１２に設ける突出部１２ｃの形状や、第２の支持部材１７に設ける弾性変形部１７ｄ及び貫通孔１７ｃの形状についても限定はない。
【００８０】
また、上記の実施形態では、弾性変形部および貫通穴を利用した両端梁構造により構成している。その代わりに、弾性変形部をゴムなどの弾性体を用いて構成してもよい。具体的には、図３（ａ）に示す弾性変形部１７ｂの位置に、貫通穴１７ｃの代わりに凹部１７ｂの如き形状の凹部を設け、その凹部にゴムなどの弾性体を配置すればよい。
【００８１】
上記の実施例では、第２の支持部材１７の側壁１７ｓＵ側に弾性変形部を設けて導光板を光源側に押し付ける構造としているが、これに加えて、各光源を導光板側に押し付ける構造を設けてもよい。例えば、光源１３の導光板１２と逆側に突出部を設けるとともに、当該突出部と対向する位置において第２の支持部材１７の凹部１７ｂの位置に弾性変形部を設ける。これにより、弾性変形部が光源１３を導光板へ押し付けることにより、導光板の入光面と光源の発光面とのクリアランスをさらに小さくすることができる。
【００８２】
また、本発明では、第２の支持部材１７は、樹脂素材より形成されている必要はなく、弾性変形部１７ｄを弾性変形させることができれば、第２の支持部材１７は、どのような素材により形成されていてもよい。
【００８３】
また、本発明では、光源１３は発光ダイオードに限定されず、冷陰極管（ＣＣＦＬ：Cold Cathode Fluorescent Lamp）等の蛍光ランプであってもよい。
【００８４】
[電子機器]
次に、上記した実施形態に係る照明装置５１を有する液晶装置１００、或いは上記した変形例に係る照明装置を有する液晶装置のうちの何れかの液晶装置（以下、代表して「液晶装置１０００」と称する）を備える電子機器の具体例について図８を参照して説明する。
【００８５】
まず、本発明に係る液晶装置１０００を、可搬型のパーソナルコンピュータ（いわゆるノート型パソコン）の表示部に適用した例について説明する。図８（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００８６】
続いて、本発明に係る液晶装置１０００を、携帯電話機の表示部に適用した例について説明する。図８（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００８７】
なお、本発明に係る液晶装置１０００を適用可能な電子機器としては、図８（ａ）に示したパーソナルコンピュータや図８（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００８８】
【図１】本発明の実施形態に係る照明装置を有する液晶装置の平面図。
【図２】図１の切断線Ａ−Ａ’に沿った液晶装置の要部断面図。
【図３】第２の支持部材及び第２の支持部材と導光板の構造体に係る各平面図。
【図４】第２の支持部材と導光板の構造体に係る各要部拡大平面図。
【図５】図４（ａ）の切断線Ｂ−Ｂ’に沿った要部断面図。
【図６】比較例に係る、第２の支持部材と導光板の構造体に係る各要部拡大平面図。
【図７】各変形例に係る第２の支持部材と導光板の構造体に係る各平面図。
【図８】本発明の液晶装置を備える電子機器の斜視図。
【符号の説明】
【００８９】
１２、１２ｐ、１２ｑ  導光板、  １２ａ  入光面、  １２ｂ  反入光面、  １２ｃ  突出部、  １２ｓＬ、１２ｓＵ、１２ｓＲ、１２ｓＤ  縁辺、  １３  光源、  １３ａ  発光面、  １７、１７ｐ、１７ｑ、１７ｒ  第２の支持部材（支持部材）、  １７ｂ  凹部、  １７ｃ  貫通孔、  １７ｄ  弾性変形部、  １７ｓＬ、１７ｓＵ、１７ｓＲ、１７ｓＤ  側壁、  ５０  液晶表示パネル（電気光学パネル）、  ５１  照明装置、  １００  液晶装置（電気光学装置）
【図１】
2010080295.tif 000003
【図２】
2010080295.tif 000004
【図３】
2010080295.tif 000005
【図４】
2010080295.tif 000006
【図５】
2010080295.tif 000007
【図６】
2010080295.tif 000008
【図７】
2010080295.tif 000009
【図８】
2010080295.tif 000010